(57)【特許請求の範囲】
【請求項１】
光源から入射する光を出射面から出射するようにした導光板の裏面に平坦面とＶ溝が交互に配置された反射パターンを形成し、上記反射パターンの光源側において光源端部付近のみ更に斜め方向のＶ溝部を形成し、反射パターンを形成するＶ溝及び斜め方向のＶ溝部の各内面を平滑面として成ることを特徴とするエッジライトパネル。
【請求項２】
光源から入射する光を出射面から出射するようにした導光板の裏面に平坦面とＶ溝が交互に配置された反射パターンを形成し、上記反射パターンの光源側のＶ溝のみ内面を拡散面で形成して成ることを特徴とするエッジライトパネル。
【請求項３】
光源から入射する光を出射面から出射するようにした導光板の裏面に平坦面とＶ溝が交互に配置された反射パターンを形成し、上記反射パターンの光源側において光源端部付近のみ更に斜め方向のＶ溝部を形成し、反射パターンを形成するＶ溝の内面を平滑面とするとともに斜め方向のＶ溝部の内面を拡散面で形成して成ることを特徴とするエッジライトパネル。
【発明の詳細な説明】
【０００１】
【発明の属する技術分野】
本発明は、誘導灯などの各種面光源装置あるいは照明装置に用いるエッジライトパネルに関するものである。
【０００２】
【従来の技術】
従来から誘導灯などの各種面光源装置あるいは照明装置として図１に示すような構成のものが知られている。この図１に示すものは直管蛍光ランプよりなる光源１と、反射板１７と、導光板４の裏面に反射パターン５を形成したエッジライトパネルＡと、表示サイン１８と、ケース１９で構成してあり、光源１から出た光は直接又は反射板１７で反射されてエッジライトパネルＡ内に入射し、入射した光はエッジライトパネルＡ内を進行し、裏面に形成された反射パターン５に当たると進行角度を変え、全反射角をこえない角度で前面に達した光が透過されるので、エッジライトパネルＡの前面に対向している表示サイン１８を照明するようになっている。
【０００３】
上記の従来例にあっては、エッジライトパネルＡの巾に対して光源１の長さあるいは光源１の有効発光長が短い場合、光源１の端部に近いところで暗くなり、輝度の不均一が生じることがある。特に、エッジライトパネルＡの反射パターン５として、平滑面による反射、屈折を利用した場合は、ドット印刷のような拡散パターンに比べて、この不均一が顕著に現れていた。
【０００４】
そこで、このような輝度の不均一を防止するために特開平４−２１８０８９号公報に示されるような手法が提案されている。この特開平４−２１８０８９号公報に示されるものは、エッジライトパネルの入射面を粗面とすることにより、入射時に無方向的に強制拡散させて、光源近傍の輝度の均一性を向上させている。そして、この従来例にあっては粗面から入射するため、入射後の進行方向も無方向的になり、光源付近の不均一は改善されるが、この方式ではエッジライトパネル内を全反射により進行するはずの光が前面、側面、裏面に抜けてしまい入射効率が低下するという問題がある。
【０００５】
これが光源近傍でおこるため、前面へ出た光は光源近傍を明るくし、新たな輝度不均一を生むことになる。側面、裏面へ出た光は反射されて再度入射されることになるが、この際に大きなロスを生じることになる。
【０００６】
【発明が解決しようとする課題】
本発明は上記の点に鑑みてなされたものであり、入射面以外の面に光を屈折または散乱させる手段を持たせて出射面内の輝度均一性を保つことができるエッジライトパネルを提供することを課題とするものである。
【０００７】
【課題を解決するための手段】
上記課題を解決するために本発明に係るエッジライトパネルは、光源１から入射する光を出射面２から出射するようにした導光板４の裏面に平坦面５ａとＶ溝５ｂが交互に配置された反射パターン５を形成し、上記反射パターン５の光源１側において光源１端部付近のみ更に斜め方向のＶ溝部７を形成し、反射パターン５を形成するＶ溝５ｂ及び斜め方向のＶ溝部７の各内面を平滑面８とすることを特徴とするものである。このような構成とすることで、光源１の端部付近の出射光を分散させることができ、光源１の端部の影が目立たないようにできるものである。全反射する方向が光源１の端部付近だけで変化するため、影ができにくくなるものである。これにより出射面２内の輝度を均一に保ち、光源１の端部の影を目立たないようにできる。
【０００８】
また、光源１から入射する光を出射面２から出射するようにした導光板４の裏面に平坦面５ａとＶ溝５ｂが交互に配置された反射パターン５を形成し、上記反射パターン５の光源１側のＶ溝５ｂのみ内面を拡散面９で形成することが好ましい。このような構成とすることで、光源１の端部付近の出射光を散乱させることができ、光源１の端部の影が目立たないようにできるものである。これにより出射面２内の輝度を均一に保ち、光源１の端部の影を目立たないようにできる。
【０００９】
また、光源１から入射する光を出射面２から出射するようにした導光板４の裏面に平坦面５ａとＶ溝５ｂが交互に配置された反射パターン５を形成し、上記反射パターン５の光源１側において光源１端部付近のみ更に斜め方向のＶ溝５ｂを形成し、反射パターン５を形成するＶ溝５ｂの内面を平滑面８とするとともに斜め方向のＶ溝５ｂの内面を拡散面９で形成することが好ましい。このような構成とすることで、光源１の端部付近の出射光を散乱させることができ、光源１の端部の影が目立たないようにできるものである。これにより出射面２内の輝度を均一に保ち、光源１の端部の影を目立たないようにできる。
【００１０】
【発明の実施の形態】
以下、本発明を添付図面に示す実施形態に基づいて説明する。
【００１１】
本発明のエッジライトパネルＡは誘導灯などの各種面光源装置あるいは照明装置に用いられるものであり、このエッジライトパネルを用いた誘導灯などの各種面光源装置あるいは照明装置は図１に示す従来から公知のものであり、その構成は、直管蛍光ランプのような光源１と、反射板１７と、導光板４の裏面に反射パターン５を形成したエッジライトパネルＡと、エッジライトパネルＡの前面側に配置される表示サイン１８と、ケース１９とで構成してある。そして、光源１から出た光は直接又は反射板１７で反射されてエッジライトパネルＡの主体を構成する導光板４内に入射し、入射した光は導光板４内を進行し、導光板４の裏面に形成された反射パターン５に当たって進行方向を変えた光のうち、出射面２である前面に全反射角をこえないで入射したものだけが透過し、それ以外の光は全反射を繰り返し、更に奧へと導光し、奧において同様にして反射パターン５に当たって同様の作用を行い、これにより図２の矢印のように導光板４の出射面２（前面）から出射する。このようにして導光板４の出射面２から出射することで出射面２（前面）に対向して配置した表示サイン１８を照明するようになっている。
【００１２】
上記のようなエッジライトパネルＡにおいては、既に述べたように、エッジライトパネルＡの巾に対して直管蛍光ランプよりなる光源１の長さあるいは光源１の有効発光長が短い場合、光源１の端部（つまり直管光源ランプの両端部付近）に近いところで暗くなり、輝度の不均一が生じることがある。そこで、本発明は以下に述べるようにして導光板４に入射した光を屈折又は散乱させて出射面２内の輝度を均一に保ち、光源の端部の影を目立たないように構成し、従来のように導光板４の入射面３を粗面にするものに比べて入射効率を低下させることなく出射面２内の輝度を均一に保ち、光源の端部の影を目立たないようにしている。
【００１３】
まず、本発明の実施形態を説明するに当って、本発明の基本構成について図３、図４に基づいて説明する。導光板４の裏面には反射パターン５が形成してある。この反射パターン５は図４に示すように平坦面５ａとＶ溝５ｂとが交互に配置されることで形成してある。ここで、溝５ｂはその長手方向が直管蛍光ランプよりなる光源１と平行な方向となるように形成してあり、また、光源１から遠ざかるほど徐々にＶ溝５ｂのピッチが狭く（つまり平坦面５ａの巾が狭く）なり且つ光源１から遠ざかるほど徐々にＶ溝５ｂの深さが深くなるように形成してある。一例を挙げると図４（ｂ）のＭで示すＶ溝５ｂのピッチ長が２ｍｍから０．１ｍｍへと徐々に狭くなっていき、また、図４（ｂ）のＮで示すＶ溝５ｂの深さが０．０１０ｍｍから０．１ｍｍへと徐々に深くなっていくように形成してある。もちろん、上記数値にのみ限定されないものである。そして、本実施形態においては、上記のように導光板４の裏面に平坦面５ａとＶ溝５ｂが交互に配置された反射パターン５を形成したものにおいて、上記反射パターン５の光源１側において光源１端部付近のみ各平坦面５ａに別のＶ状溝６を形成してある。この平坦面５ａに形成する別のＶ状溝６はＶ溝５ｂに平行となっている。図４（ｂ）のように隣接するＶ溝５ｂと同程度の深さかそれ以下の深さとなっている。このように反射パターン５の光源１側において光源１端部付近のみ各平坦面５ａに別のＶ状溝６を形成することで、反射パターン５の光源１側において光源１端部付近のみ出射光量を増やして、光源１端部の影部分の輝度を向上させることができるものである。
【００１４】
以下、上記基本構成を踏まえて本発明の一実施形態を図５に基づいて説明する。本実施形態においても前述の実施形態と同様に導光板４の裏面に形成された反射パターン５が平坦面５ａとＶ溝５ｂとを交互に配置することで形成してあり、長手方向が直管蛍光ランプよりなる光源１と平行な方向となるように形成したＶ溝５ｂは、光源１から遠ざかるほど徐々にＶ溝５ｂのピッチが狭く（つまり平坦面５ａの巾が狭く）なり且つ光源１から遠ざかるほど徐々にＶ溝５ｂの深さが深くなるように形成してあるという構成において同じである。しかして本実施形態においては、上記反射パターン５の光源１側において光源１端部付近のみ更に斜め方向のＶ溝部７を形成してある。ここで、反射パターン５を形成するＶ溝５ｂ及び斜め方向のＶ溝部７の各内面は平滑面８となっている。上記のように反射パターン５の光源１側において光源１端部付近のみ更に斜め方向のＶ溝部７を形成することで、光源１の端部付近の出射光を分散させることができ、これにより光源１端部付近における出射光量を増加することができて、光源１の端部の影が目立たないようにできるものである。また、全反射する方向が光源１の端部付近だけで変化するため、影ができにくくなるものである。
【００１５】
次に、図６に基づいて本発明の他の実施形態につき説明する。本実施形態においても前述の実施形態と同様に導光板４の裏面に形成された反射パターン５が平坦面５ａとＶ溝５ｂとを交互に配置することで形成してあり、長手方向が直管蛍光ランプよりなる光源１と平行な方向となるように形成したＶ溝５ｂは、光源１から遠ざかるほど徐々にＶ溝５ｂのピッチが狭く（つまり平坦面５ａの巾が狭く）なり且つ光源１から遠ざかるほど徐々にＶ溝５ｂの深さが深くなるように形成してあるという構成において同じである。しかして本実施形態においては、上記反射パターン５の光源１側のＶ溝５ｂのみ内面を拡散面９で形成してある。つまり、エッジライトパネルＡの裏面の反射パターン５は、上記のように光源１からの距離に応じて変化していて光源１から離れる方向における輝度均一性を保っているが、反射パターン５を形成するＶ溝５ｂの内面が平滑面であれば光は正反射されて前面の出射面２から出射されるが、このＶ溝５ｂの内面が拡散面９であると、光は拡散反射されて種々の方向に出射される。一方、直管蛍光ランプよりなる光源１の端部の影の影響は、エッジライトパネルＡの光源１近傍で目立つため、光源１に近いＶ溝５ｂのみ内面を拡散面９とすることで、出射面２から出射する光の均一性が向上するのである。
【００１６】
ここで、内面を拡散面９としたＶ溝５ｂが存在する領域（図６（ａ）においてイで示す領域）が大きくなると拡散する光量が増加して前面の出射面２から出射される光の分布を制御できなくなって、全体として輝度が不均一になる場合がある。このため、内面を拡散面９としたＶ溝５ｂは光源１近傍のみとし、図６（ｂ）においてロで示される領域のＶ溝５ｂは平滑面とするものである。なお、内面を拡散面９としたＶ溝５ｂは加工する際のバイトの平滑性や材質を変化させることにより作成するものである。
【００１７】
本実施形態においては、上記のように、反射パターン５の光源１側のＶ溝５ｂのみ内面を拡散面９で形成してあるので、光源１の端部付近の出射光を散乱させることができ、光源１の端部の影が目立たないようにできるものである。
【００１８】
次に、図７に基づいて本発明の更に他の実施形態につき説明する。本実施形態においても前述の実施形態と同様に導光板４の裏面に形成された反射パターン５が平坦面５ａとＶ溝５ｂとを交互に配置することで形成してあり、長手方向が直管蛍光ランプよりなる光源１と平行な方向となるように形成したＶ溝５ｂは、光源１から遠ざかるほど徐々にＶ溝５ｂのピッチが狭く（つまり平坦面５ａの巾が狭く）なり且つ光源１から遠ざかるほど徐々にＶ溝５ｂの深さが深くなるように形成してあるという構成において同じである。しかして本実施形態においては、上記反射パターン５の光源１側において光源１端部付近のみ更に斜め方向のＶ溝５ｂを形成してある。ここで、本実施形態においては、反射パターン５を形成するＶ溝５ｂの内面を平滑面８とするとともに斜め方向のＶ溝５ｂの内面を拡散面９で形成してある。上記のように反射パターン５の光源１側において光源１端部付近のみ更に内面が拡散面９となった斜め方向のＶ溝部７を形成することで、光源１の端部付近の出射光を分散させることができ、これにより光源１端部付近における出射光量を増加することができて、光源１の端部の影が目立たないようにできるものである。また、全反射する方向が光源１の端部付近だけで変化するため、影ができにくくなるものである。
【００１９】
なお、斜め方向のＶ溝部７は図７に示すように直線状であってもよく、あるいは導光板４の光源１側の側端部である角部を中心とした同心円状の複数の径の異なる円弧形状をしたものであってもよいものである。
【００２０】
次に、参考例につき説明する。
【００２１】
図８には一参考例が示してある。本参考例においては導光板４の光を出射する出射面２である前面に光を屈折させるためにプリズム加工を施してある。出射面２に形成されたプリズム加工部分１５は直管蛍光ランプよりなる光源１に対して直交する方向に長くなった三角柱状のプリズム部１５ａ（つまり直管蛍光ランプよりなる光源１に対して平行な方向の断面が三角となったプリズム部１５ａ）を図８に示すように出射面２の全面に形成してある。
【００２２】
このように導光板４の光を出射する出射面２に光を屈折させるためにプリズム加工を施すことで、出射面２を透過する光が出射時にプリズム部加工部分１５により方向を変えられるため、光源１端部近傍の影（非発光部の像）を複数に分割できる。特に図８（ｃ）のようにプリズム部１５ａの頂角を変化させたり、プリズム部１５ａの深さを変化させると影が見た目にぼやけた状態で出射することになり、出射面２における輝度の不均一を緩和し、光源１の端部の影を目立たなくすることができるのである。
【００２３】
次に、図９に基づいて他の参考例につき述べる。この参考例においては導光板４の光を出射する出射面２である前面に光を拡散させるために出射面２を粗面化してある。
【００２４】
このように導光板４の光を出射する出射面２を光を拡散させるように粗面２０とすることで、出射面２を透過する光が出射時に粗面２０により散乱させられるため、光源１端部近傍の影（非発光部の像）が現れにくくなる。つまりエッジライトパネルＡの出射面２と表示サイン１８の間に別途拡散シートを配置したのと同じ効果が得られることになり、出射面２における輝度の不均一を緩和し、光源１の端部の影を目立たなくすることができるのである。
【００２５】
次に、図１０に基づいて更に他の参考例につき説明する。導光板４の裏面にはＶ溝や微細凹凸等の反射パターン５が設けてあるが、この反射パターン５は通常光源１からの距離に応じて変化しており、光源から離れる方向への輝度均一性を保っている。しかして本実施形態においては、導光板４の裏面に上記のような光源１からの距離に応じて変化している反射パターン５に加え、更に、反射パターン５の光源１側において光源１端部付近のみ更に光を屈折または散乱させる加工を施すのである（図１０おいて更に光源１端部付近のみ更に光を屈折または散乱させる加工を施した部分を符号２２で示す）。つまり、光源１と平行な方向（図１０の左右方向）においても反射パターンに変化を持たせるものである。このような反射パターン５の光源１側において光源１端部付近に設けた光を屈折または散乱させる加工部分２１の存在により、光源１と平行な方向においては光源１の端部ほど反射時に拡散成分が多くなるパターンとなり、図１０の左右方向（光源１端部付近）の輝度均一性を保つことが可能となり、光源１の端部の影を分散させて目立たないようにすることができるのである。
【００２６】
次に、図１１に基づいて更に他の参考例につき説明する。この参考例においても前述と同様に導光板４の裏面に形成された反射パターン５が平坦面５ａとＶ溝５ｂとを交互に配置することで形成してあり、長手方向が直管蛍光ランプよりなる光源１と平行な方向となるように形成したＶ溝５ｂは、光源１から遠ざかるほど徐々にＶ溝５ｂのピッチが狭く（つまり平坦面５ａの巾が狭く）なり且つ光源１から遠ざかるほど徐々にＶ溝５ｂの深さが深くなるように形成してあるという構成において同じである。しかしてこの参考例においては上記反射パターン５の光源１側の平坦面５ａを拡散面９で形成してある。つまり、反射パターン５を平坦面５ａと拡散面９を交互に連続して配置することで形成したものにおいては、深さ、ピッチが徐々に異なるＶ溝５ｂ部分で反射されて前面から出射される光量が決まり、平坦面５ａ部分においては全反射が起こり光が光源１から離れる方向である遠方に導光されるものであるが、光源１近傍の影が目立つ領域で、Ｖ溝５ｂが形成されていない部分を拡散面９とすることで、光源１に近い平坦面５ａ部分においては光が拡散反射され、これにより光源１近傍の影が目立たないようにできて、前面の出射面２から均一に出射されることになり、エッジライトパネルＡの輝度が均一となるものである。全反射する方向が変化するため影ができにくくなるものである。
【００２７】
次に、図１２に基づいて更に他の参考例につき説明する。この参考例においては導光板４の側面を粗面化してある。ここで、導光板４の側面を粗面化するに当たっては、図１２に示すように光源１側に近い程その粗面が粗くなるように粗面化してある。しかして、入射面３から導光板４内に入射した光は、導光板４内を入射する時の方向により導光板４内を導光していく。この場合、直管蛍光ランプよりなる光源１の端部で導光板４の入射面３に入射する光量が少なくなることでエッジライトパネルＡの端部全域で影ができて暗くなる。この影を消すために、エッジライトパネルＡに入射した光の方向を変化させてエッジライトパネルＡ端部から出射する光量を増加させる必要がある。そこで、この参考例においては、上記のように、導光板４の側面を粗面化して拡散面２３を形成したものであり、導光板４の側面に到達した光が粗面となった側面により拡散反射されてエッジライトパネルＡの出射面２である前面端部から出射することになって光源１の影を目立たなくすることができるものである。特に、粗面化の状態は光源１側ほど粗く、遠ざかるにつれて平滑に近づくようにしているため、光源１側では拡散しやすく影も目立ちにくくすることができ、また、粗さを変化させることで導光する光量を殆ど減らすことなく奧へと伝搬できるため、面内の輝度均一性も保つことができるものである。
【００２８】
次に、図１３に基づいて更に他の参考例につき説明する。この参考例においては導光板４の側面をプリズム加工してあってプリズム加工部分１６を形成してある。すなわち、入射面３から導光板４内に入射した光は、導光板４内を入射する時の方向により導光板４内を導光していく。この場合、直管蛍光ランプよりなる光源１の端部で導光板４の入射面３に入射する光量が少なくなることでエッジライトパネルＡの端部全域で影ができて暗くなる。この影を消すために、エッジライトパネルＡに入射した光の方向を変化させてエッジライトパネルＡ端部から出射する光量を増加させる必要がある。そこで、この参考例においては、上記のように、導光板４の側面にプリズム加工したものであり、導光板４の側面に到達した光が導光板４の側面のプリズム加工部分１６により反射されてエッジライトパネルＡの出射面２である前面端部から出射することになって光源１の影を目立たなくすることができるものである。
【００２９】
なお、導光板４の側面に形成するプリズム加工部分１６は光の反射方向を制御するためのものであり、プリズム加工部分１６を構成するためのプリズム部の形状はＶ溝形状でも錐状形状でもよいものであり、また、その方向は出射光の配光分布が均一となるように配列するものであり、例えば、図１３に示すようにプリズム部の長手方向が導光板４の厚み方向に長くなるように配列する。
【００３０】
次に、図１４に基づいて更に他の参考例につき説明する。この参考例においては、導光板４の入射面３と対向する面を図１４（ａ）、（ｂ）のように凸曲成または凹曲成してシリンドリカルレンズ又はレンチキュラーレンズ等の光源に対して凸曲又は凹曲したレンズ部１０としてある。すなわち、入射面３から導光板４内に入射した光は導光板４内を入射方向により導光していくが、この導光板４内を導光される光のうち、裏面、表面、側面から出射しないで入射面３と対向する面まで到達する光も多く、入射面３と対向する面で入射面３側に向けて反射したり、あるいは、入射面３と対向する面を透過した後、ケース１９で反射された後に再度導光板４内に入射する。そこでこの参考例においては、導光板４の入射面３と対向する面を凸曲成または凹曲成してシリンドリカルレンズ又はレンチキュラーレンズ等の光源に対して凸曲又は凹曲したレンズ部１０を形成することで、導光板４の入射面３と対向する面に到達した光をレンズ部１０により制御された方向に屈折反射するものであり、これにより光源１の端部の影が目立たないようにするものである。
【００３１】
次に、図１５に基づいて更に他の参考例につき説明する。この参考例においては、導光板４の入射面３と対向する面に光を拡散させるための正弦波形状をした光拡散部１１を設けてある。すなわち、入射面３から導光板４内に入射した光は導光板４内を入射方向により導光していくが、この導光板４内を導光される光のうち、裏面、表面、側面から出射しないで入射面３と対向する面まで到達する光も多く、入射面３と対向する面で入射面３側に向けて反射したり、あるいは、入射面３と対向する面を透過した後、ケース１９で反射された後に再度導光板４内に入射する。そこで導光板４の入射面３と対向する面を粗面化することが考えられるが、粗面化すると透過ロスが生じて、出射面２から出射される光の効率が低下する。そこで、この参考例では入射面３と対向する面の形状を拡散反射の配光を持ちながら、光ロスの低下を抑制する正弦波形状として光拡散部１１を形成するものである。このように弧状をした凸曲面と弧状をした凹曲面が交互に連続する正弦波形状とすることで、凸曲面と凹曲面で多重反射して光ロスが生じないようにできるものである。ちなみに、正弦波形状一例を挙げると正弦波の進行方向が直管蛍光ランプよりなる光源１の長手方向となるように形成するものであり、導光板４の厚み方向においては断面形状が同じ形状をしている。この正弦波のピッチは例えば０．０１０〜１ｍｍ程度であり、また、深さは０．０１０〜１ｍｍ程度である。
【００３２】
次に、図１６に基づいて更に他の参考例につき説明する。この参考例においては、上記図３乃至図１５に示す各実施形態、参考例のように、光源から入射する光を出射面２から出射するようにした導光板４の入射面３を除くいずれかの面に光を屈折または散乱させる加工を施したものにおいて、更に、導光板４の入射面３をシリンドリカルレンズ又はレンチキュラーレンズ等の光源に対して凸曲又は凹曲したレンズ部１２とするものである。つまり、上記各実施形態、参考例のように、光源１からの光の入射面３以外に光りを屈折または反射により方向制御する手段がある場合、エッジライトパネルＡの出射面２の輝度分布は均一になるが、光源１の発光分布に極端に輝度むらがある場合、あるいは光源１の発光長が短い場合にはこの参考例のように入射面３にシリンドリカルレンズ又はレンチキュラーレンズ等の光源に対して凸曲又は凹曲したレンズ部１２を形成することで、入射面３で導光板４内に入射する光の分布を整形するのである。このように入射面３以外に光制御手段を設け、且つ入射面３にシリンドリカルレンズ又はレンチキュラーレンズ等の光源に対して凸曲又は凹曲したレンズ部１２を形成することで、２段階の光制御手段でより均一配光分布を得ることができるものである。ここで、シリンドリカルレンズ又はレンチキュラーレンズ等の光源に対して凸曲又は凹曲したレンズ部１２はその方向を導光板４の厚み方向において断面が変化しないようにすることで（つまり直管蛍光ランプの長手方向に凸曲面が連続するかまたは凹曲面が連続するようにすることで）、入射面４に設けたレンズ部１２から裏面方向に光が抜けないようにでき、裏面に光が抜けることによる入射効率の低下を防止できることになる。
【００３３】
次に、図１７に基づいて更に他の参考例につき説明する。この参考例においては、上記図３乃至図１５に示す各実施形態、参考例のように、光源から入射する光を出射面２から出射するようにした導光板４の入射面３を除くいずれかの面に光を屈折または散乱させる加工を施したものにおいて、更に、導光板４の入射面３に光を拡散させるための正弦波形状をした光拡散部１３を設けるものである。つまり、上記各実施形態、参考例のように、光源１からの光の入射面３以外に光りを屈折または反射により方向制御する手段がある場合、エッジライトパネルＡの出射面２の輝度分布は均一になるが、光源１の発光分布に極端に輝度むらがある場合、あるいは光源１の発光長が短い場合にはこの参考例のように入射面３に光を拡散させるための正弦波形状をした光拡散部１３を形成することで、入射面３で導光板４内に入射する光の分布を整形するのである。このように入射面３以外に光制御手段を設け、且つ入射面３にシリンドリカルレンズ又はレンチキュラーレンズ等の光源に対して凸曲部と凹曲部とが交互に連続する正弦波形状をした光拡散部１３を形成することで、２段階の光制御手段でより均一配光分布を得ることができるものである。ここで、凸曲部と凹曲部とが交互に連続する正弦波形状の波の方向を直管蛍光ランプよりなる光源１の長手方向に一致するようにするものであり、凸曲部と凹曲部が連続する正弦波形状をした光拡散部１３はその方向を導光板４の厚み方向において断面が変化しないようにしてある。これにより入射面４に設けた凸曲部と凹曲部が連続する正弦波形状をした光拡散部１３から入射した光が導光板４の裏面方向に抜けないようにでき、裏面に光が抜けることによる入射効率の低下を防止できることになる。なお、上記正弦波のピッチは例えば０．０１０〜１ｍｍ程度であり、また、深さは０．０１０〜１ｍｍ程度である。
【００３４】
ところで、上記した各実施形態、参考例においては、光源１から入射する光を出射面２から出射するようにした導光板４の入射面３を除くいずれかの面に光を屈折または散乱させる加工を施すに当たって、図示を省略しているが、導光板４の前面と裏面とに光を屈折または散乱させる加工を施して拡散面を形成するようにしてもよいものである。このような構成とすると、裏面の拡散面では光源１の端部に光を向ける役割を有し、前面の拡散面では最終的に光を出射する際に配光する方向を均一にする役割を有するものである。このように導光板４の前面と裏面とに光を屈折または散乱させる加工を施すことにより、導光板４の前面と裏面の２面でより高精度に出射配光を制御することが可能となり、光源１の端部の影が目立たなくなるものである。
【００３５】
また、上記した各実施形態、参考例のように、光源１から入射する光を出射面２から出射するようにした導光板４の入射面３を除くいずれかの面である前面、裏面、側面、対向面に光を屈折または散乱させる加工を施すに当たって、導光板４の前面、裏面、側面、対向面の全面に光を屈折または散乱させる加工を施してもよいが、導光板４の前面、裏面、側面、対向面の全面に光を屈折または散乱させる加工を施すのではなく、導光板４の光源１端部に対応した部分にのみ光を屈折または散乱させる加工をして、エッジライトパネルＡの光源１の端部から光射されるようにしてもよいものである。図１８は導光板４の出射面２である前面の光源１端部に対応した部分にのみ光を屈折または散乱させる加工をした各例を示しており、図１８（ａ）において符号２４はプリズム加工部分を示し、符号２５は粗面化した粗面部を示している。しかして、全面に加工すると、出射する光の効率が低下する場合もあるが、本実施形態のように光を屈折または散乱させる加工が光源１端部に対応した部分にのみ施すことで、影を目立たなくできるだけでなく、光特性もｃｏｓ則に近いものが得られることになる。
【００３６】
【発明の効果】
上記のように本発明の請求項１記載の発明にあっては、光源から入射する光を出射面から出射するようにした導光板の裏面に平坦面とＶ溝が交互に配置された反射パターンを形成し、上記反射パターンの光源側において光源端部付近のみ更に斜め方向のＶ溝部を形成し、反射パターンを形成するＶ溝及び斜め方向のＶ溝部の各内面を平滑面としてあるので、反射パターンの光源側において光源端部付近のみ更に内面が平滑面となった斜め方向のＶ溝部を形成するという簡単な構成で、光源の端部付近の出射光を分散させることができて、光源の端部の影が目立たないようにできるものであり、しかも、全反射する方向が光源の端部付近だけで変化するため、影ができにくくなり、この結果、出射面内の輝度を均一に保ち、光源の端部の影を目立たないようにでき、しかも、入射効率を低下させないものである。
【００３７】
また、請求項２記載の発明にあっては、光源から入射する光を出射面から出射するようにした導光板の裏面に平坦面とＶ溝が交互に配置された反射パターンを形成し、上記反射パターンの光源側のＶ溝のみ内面を拡散面で形成してあるので、反射パターンの光源側のＶ溝のみ内面を拡散面で形成するという簡単な構成で、光源の端部付近の出射光を散乱させることができ、光源の端部の影が目立たないようにでき、この結果、出射面内の輝度を均一に保ち、光源の端部の影を目立たないようにでき、しかも、入射効率を低下させないものである。
【００３８】
また、請求項３記載の発明にあっては、光源から入射する光を出射面から出射するようにした導光板の裏面に平坦面とＶ溝が交互に配置された反射パターンを形成し、上記反射パターンの光源側において光源端部付近のみ更に斜め方向のＶ溝部を形成し、反射パターンを形成するＶ溝の内面を平滑面とするとともに斜め方向のＶ溝部の内面を拡散面で形成してあるので、反射パターンの光源側において光源端部付近のみ更に内面が拡散面となった斜め方向のＶ溝部を形成するという簡単な構成で、光源の端部付近の出射光を散乱させることができ、光源の端部の影が目立たないようにできるものでき、この結果、出射面内の輝度を均一に保ち、光源の端部の影を目立たないようにでき、しかも、入射効率を低下させないものである。
【図面の簡単な説明】
【図１】  エッジライトパネルの分解斜視図である。
【図２】  同上の光源と導光板との関係を示す説明図である。
【図３】  同上の光源と導光板との関係を示す説明図である。
【図４】  （ａ）は同上の導光板の断面図であり、（ｂ）は導光板の裏面にＶ溝を形成した例を示す拡大断面図である。
【図５】    本発明の一実施形態を示し、（ａ）は光源と導光板との関係を示す斜視図であり、（ｂ）は導光板の裏面にＶ溝状を形成した例を示す拡大斜視図である。
【図６】    本発明の他の実施形態を示し、（ａ）は光源と導光板との関係を示す斜視図であり、（ｂ）は導光板の裏面にＶ溝状を形成した例を示す拡大断面図である。
【図７】    本発明の更に他の実施形態を示し、（ａ）は光源と導光板との関係を示す斜視図であり、（ｂ）は導光板の裏面にＶ溝状を形成した例を示す拡大斜視図である。
【図８】  参考例を示し、（ａ）は光源と導光板との関係を示す説明図であり、（ｂ）は前面の一部拡大斜視図であり、（ｃ）は同上の他例の一部拡大斜視図である。
【図９】  他の参考例の光源と導光板との関係を示す説明図である。
【図１０】  更に他の参考例を示す光源と導光板との関係を示す説明図である。
【図１１】    更に他の参考例を示す光源と導光板との関係を示す斜視図である。
【図１２】    更に他の参考例を示す光源と導光板との関係を示す斜視図である。
【図１３】    更に他の参考例を示す光源と導光板との関係を示す斜視図である。
【図１４】    更に他の参考例を示し、（ａ）は光源と導光板との関係を示す斜視図であり、（ｂ）は同上の更に例を示す光源と導光板との関係を示す斜視図である。
【図１５】    更に他の参考例を示す光源と導光板との関係を示す斜視図である。
【図１６】    更に他の参考例を示す光源と導光板との関係を示す斜視図である。
【図１７】    更に他の参考例を示す光源と導光板との関係を示す斜視図である。
【図１８】    更に他の参考例を示し、（ａ）（ｂ）は光源と導光板との関係を示す斜視図である。
【符号の説明】
１  光源
２  出射面
３  入射面
４  導光板
５  反射パターン
５ａ  平坦面
５ｂ  Ｖ溝
６  Ｖ状溝
７  Ｖ溝部
【図１】
0003941319.tif 000002
【図２】
0003941319.tif 000003
【図３】
0003941319.tif 000004
【図４】
0003941319.tif 000005
【図５】
0003941319.tif 000006
【図６】
0003941319.tif 000007
【図７】
0003941319.tif 000008
【図８】
0003941319.tif 000009
【図９】
0003941319.tif 000010
【図１０】
0003941319.tif 000011
【図１１】
0003941319.tif 000012
【図１２】
0003941319.tif 000013
【図１３】
0003941319.tif 000014
【図１４】
0003941319.tif 000015
【図１５】
0003941319.tif 000016
【図１６】
0003941319.tif 000017
【図１７】
0003941319.tif 000018
【図１８】
0003941319.tif 000019